(57)【要約】【課題】選択可能な画像の切替え表示の種類を増加させるとともに、ユーザが所望の切替え表示を選択する際の操作性の低下を抑制する。【解決手段】表示装置１００であって、タッチパネル５ａに対するユーザによる同時又は連続する一連の接触操作にて行われる接触操作の数を検出する接触数検出部６ａと、タッチパネルを区分する複数の領域の中で、ユーザによる一連の接触操作にて接触された接触位置が含まれる領域を検出する第１接触領域検出部６ｂと、検出された接触操作の数と、検出された領域とに基づいて、切替え表示を制御する第１切替制御部６ｃと、を備えている。【選択図】図１
2020017321.tif 000002
【特許請求の範囲】
【請求項１】
タッチパネルに対するユーザによる接触操作に基づいて、表示手段に表示されている画像を他の画像に切替える切替え表示を行う表示装置であって、
前記タッチパネルに対するユーザによる複数の接触操作にて行われる接触操作の数を検出する数検出手段と、
前記タッチパネルを区分する複数の領域の中で、前記ユーザによる複数の接触操作にて接触された接触位置が含まれる領域を検出する領域検出手段と、
前記数検出手段により検出された接触操作の数と、前記領域検出手段により検出された領域とに基づいて、前記切替え表示を制御する制御手段と、
を備え、
前記制御手段は、前記数検出手段により検出された複数の接触操作の数が同数であっても、前記領域検出手段により一の領域が検出されたか、或いは複数の領域が検出されたかに応じて、異なる切替え表示の制御を行うことを特徴とする表示装置。
【請求項２】
前記タッチパネルを区分する複数の領域毎に、前記切替え表示における互いに異なる切替え方向が対応付けられており、
前記制御手段は、前記領域検出手段により一の領域が検出された場合は、前記数検出手段により検出される接触操作の数に応じて、前記一の領域に対応付けられている切替え方向に画像を切替える際の切替え速度を調整する制御を行うことを特徴とする請求項１に記載の表示装置。
【請求項３】
前記制御手段は、前記領域検出手段により複数の領域が検出された場合は、画像の切替え速度の調整以外の制御内容で前記切替え表示を制御することを特徴とする請求項１又は２に記載の表示装置。
【請求項４】
前記画像の切替え速度の調整以外の制御内容は、前記表示手段に表示されている画像を表示させたまま一時停止及び所定の画像への切替えのうち、少なくとも一方を含むことを特徴とする請求項３に記載の表示装置。
【請求項５】
前記領域検出手段は、前記ユーザによる複数の接触操作が時間差をつけた接触操作である場合に、当該複数の接触操作が行われた複数の領域の接触操作の順序を更に検出し、
前記制御手段は、前記領域検出手段により検出された複数の領域の接触操作の順序に基づいて、前記切替え表示を制御することを特徴とする請求項１〜４の何れか一項に記載の表示装置。
【請求項６】
前記ユーザによる複数の接触操作は、前記タッチパネルに対して所定時間内に連続して行われる複数の接触操作を含み、
前記領域検出手段は、前記ユーザにより前記タッチパネルに対して所定時間内に連続して複数の接触操作が行われた場合に、当該複数の接触操作が行われた複数の領域の接触操作の順序を更に検出することを特徴とする請求項１〜４の何れか一項に記載の表示装置。
【請求項７】
前記ユーザによる複数の接触操作は、前記タッチパネルに対して同時に複数の接触位置に接触されている状態が確保できれば、各接触位置への接触操作が時間差をつけて行われる接触操作を含むことを特徴とする請求項１〜４の何れか一項に記載の表示装置。
【請求項８】
前記制御手段は、前記数検出手段により検出された接触操作の数が一の場合に、前記切替え表示における画像の切替え方法を前記表示手段に案内表示させることを特徴とする請求項１〜７の何れか一項に記載の表示装置。
【請求項９】
タッチパネルに対するユーザによる接触操作に基づいて、表示手段に表示されている画像を他の画像に切替える切替え表示を行う表示装置であって、
前記タッチパネルを区分する複数の領域の中で、前記タッチパネルに対するユーザによる複数の接触操作にて接触された接触位置の各々が含まれる複数の領域を検出する検出手段と、
前記表示手段に自動で連続して画像を切り替え表示させている状態で、前記タッチパネルに対して同時に複数の接触位置に接触されている状態が確保され、かつ前記検出手段により複数の領域が検出されたことを契機として、当該検出された複数の領域に基づいて、前記切替え表示を制御する制御手段と、
を備えることを特徴とする表示装置。
【請求項１０】
前記制御手段は、前記検出手段により検出された複数の領域の組み合わせに応じて、前記表示手段に表示されている画像を表示させたまま一時停止させるか、或いは所定の画像へ切替えるかの何れかを行うことを特徴とする請求項９に記載の表示装置。
【請求項１１】
タッチパネルに対するユーザによる接触操作に基づいて、表示手段に表示されている画像を他の画像に切替える切替え表示を行う表示装置であって、
前記タッチパネルを区分する複数の領域の中で、前記タッチパネルに対するユーザによる複数の接触操作にて接触された接触位置の各々が含まれる複数の領域を検出する検出手段と、
前記検出手段により検出された複数の領域に基づいて、前記切替え表示を制御する制御手段と、
を備え、
前記制御手段は、
前記検出手段により検出された複数の領域の組み合わせに応じて、前記表示手段に表示されている画像を表示させたまま一時停止させるか、或いは所定の画像へ切替えるかの何れかを行い、
前記表示手段に表示されている画像を表示させたまま一時停止させた状態で、前記検出手段により検出された複数の領域に含まれる複数の接触位置のうちの何れかの接触位置における接触状態を維持したままで、他の接触位置における接触状態を一旦解除してから接触状態に戻す接触操作に基づいて、一又は複数の画像送りの何れかにより前記所定の画像への切替えを行うことを特徴とする表示装置。
【請求項１２】
前記ユーザによる複数の接触操作は、前記タッチパネルに対して同時に複数の接触位置に接触されている状態が確保できれば、各接触位置への接触操作が時間差をつけて行われる接触操作を含むことを特徴とする請求項９〜１１の何れか一項に記載の表示装置。
【請求項１３】
前記検出手段は、前記ユーザによる複数の接触操作が時間差をつけた接触操作である場合に、当該複数の接触操作が行われた複数の領域の接触操作の順序を更に検出し、
前記制御手段は、前記検出手段により検出された複数の領域の接触操作の順序に基づいて、前記切替え表示を制御することを特徴とする請求項１２に記載の表示装置。
【請求項１４】
タッチパネルに対するユーザによる接触操作に基づいて、表示手段に表示されている画像を他の画像に切替える切替え表示を行う表示装置であって、
前記タッチパネルを区分する複数の領域の中で、前記タッチパネルに対するユーザによる接触操作にて接触された接触位置を検出する検出手段と、
前記表示手段に自動で連続して画像を切り替え表示させている状態で、前記検出手段により、前記タッチパネルを区分する異なる複数の領域に対して、同時に接触されている状態が確保されたことが検出されたことを契機として、前記表示手段に表示されている画像を表示させたまま一時停止させる制御を行う制御手段と、
を備えることを特徴とする表示装置。
【請求項１５】
前記制御手段は、前記検出手段により、前記複数の領域のうちのいずれか一の領域に接触が検出されたことを契機として、接触位置が含まれる領域に応じて異なる切替え表示制御を行うことを特徴とする請求項１４に記載の表示装置。
【請求項１６】
前記制御手段は、前記表示手段に表示されている画像を表示させたまま一時停止させた状態で、一の接触位置における接触状態を維持しながら、他の接触位置における接触状態を一旦解除してから解除前と同じ領域に対する接触状態に戻す接触操作に基づいて、一又は複数の画像送りの何れかにより所定の画像への切替えを行うことを特徴とする請求項１４又は１５に記載の表示装置。
【請求項１７】
タッチパネルに対するユーザによる接触操作に基づいて、表示手段に表示されている画像を他の画像に切替える切替え表示を行う表示装置を用いた表示方法であって、
前記タッチパネルに対するユーザによる複数の接触操作にて行われる接触操作の数を検出する処理と、
前記タッチパネルを区分する複数の領域の中で、前記ユーザによる複数の接触操作にて接触された接触位置が含まれる領域を検出する処理と、
検出された接触操作の数と、検出された領域とに基づいて、前記切替え表示を制御する処理と、
を含み、
前記検出された複数の接触操作の数が同数であっても、一の領域が検出されたか、或いは複数の領域が検出されたかに応じて、異なる切替え表示の制御を行うことを特徴とする表示方法。
【請求項１８】
タッチパネルに対するユーザによる接触操作に基づいて、表示手段に表示されている画像を他の画像に切替える切替え表示を行う表示装置を用いた表示方法であって、
前記タッチパネルを区分する複数の領域の中で、前記タッチパネルに対するユーザによる複数の接触操作にて接触された接触位置の各々が含まれる複数の領域を検出する処理と、
前記表示手段に自動で連続して画像を切り替え表示させている状態で、前記タッチパネルに対して同時に複数の接触位置に接触されている状態が確保され、かつ複数の領域が検出されたことを契機として、当該検出された複数の領域に基づいて、前記切替え表示を制御する処理と、
を含むことを特徴とする表示方法。
【請求項１９】
タッチパネルに対するユーザによる接触操作に基づいて、表示手段に表示されている画像を他の画像に切替える切替え表示を行う表示装置を用いた表示方法であって、
前記タッチパネルを区分する複数の領域の中で、前記タッチパネルに対するユーザによる複数の接触操作にて接触された接触位置の各々が含まれる複数の領域を検出する処理と、
検出された複数の領域に基づいて、前記切替え表示を制御する処理と、
を含み、
前記検出された複数の領域の組み合わせに応じて、前記表示手段に表示されている画像を表示させたまま一時停止させるか、或いは所定の画像へ切替えるかの何れかを行い、
前記表示手段に表示されている画像を表示させたまま一時停止させた状態で、前記検出された複数の領域に含まれる複数の接触位置のうちの何れかの接触位置における接触状態を維持したままで、他の接触位置における接触状態を一旦解除してから接触状態に戻す接触操作に基づいて、一又は複数の画像送りの何れかにより前記所定の画像への切替えを行うことを特徴とする表示方法。
【請求項２０】
タッチパネルに対するユーザによる接触操作に基づいて、表示手段に表示されている画像を他の画像に切替える切替え表示を行う表示装置を用いた表示方法であって、
前記タッチパネルを区分する複数の領域の中で、前記タッチパネルに対するユーザによる接触操作にて接触された接触位置を検出する処理と、
前記表示手段に自動で連続して画像を切り替え表示させている状態で、前記タッチパネルを区分する異なる複数の領域に対して、同時に接触されている状態が確保されたことが検出されたことを契機として、前記表示手段に表示されている画像を表示させたまま一時停止させる制御を行う処理と、
を含むことを特徴とする表示方法。
【発明の詳細な説明】
【技術分野】
【０００１】
本発明は、表示装置、及び表示方法に関する。
【背景技術】
【０００２】
従来、ユーザが動画再生における早送り、巻き戻し、スロー再生といった速度調整を行うことができるように操作子を備える表示装置が知られている。しかしながら、操作子は動画像の表示部とは別に設けられており、表示装置の小型化の妨げになるという問題があった。
そこで、タッチパネル上におけるスライド操作の方向と速度とにより、動画象の再生速度を制御する技術（例えば、特許文献１参照）や、ユーザがタッチパネル上の位置と再生速度の関係を識別可能となるように動画像の表示に半透過で複数の再生速度を表示する技術（例えば、特許文献２参照）が開示されている。
【先行技術文献】
【特許文献】
【０００３】
【特許文献１】特開２００４−１０４５９４号公報
【特許文献２】特開２０１０−１７６５７５号公報
【発明の概要】
【発明が解決しようとする課題】
【０００４】
しかしながら、上記特許文献１の場合、操作が容易である半面、選択できる再生速度の種類が少ないという問題がある。上記特許文献２の場合、再生速度の種類に応じて表示画面の区分を増加させる必要があり、再生速度の種類が増加するほど各再生速度に対応する領域が小さくなって操作性が低下してしまうという問題がある。
【０００５】
本発明は、このような問題に鑑みてなされたものであり、本発明の課題は、選択可能な画像の切替え表示の種類を増加させることができるとともに、ユーザが所望の切替え表示を選択する際の操作性の低下を抑制することができる表示装置、及び表示方法を提供することである。
【課題を解決するための手段】
【０００６】
上記課題を解決するための本発明の一態様は、
タッチパネルに対するユーザによる接触操作に基づいて、表示手段に表示されている画像を他の画像に切替える切替え表示を行う表示装置であって、
前記タッチパネルに対するユーザによる複数の接触操作にて行われる接触操作の数を検出する数検出手段と、
前記タッチパネルを区分する複数の領域の中で、前記ユーザによる複数の接触操作にて接触された接触位置が含まれる領域を検出する領域検出手段と、
前記数検出手段により検出された接触操作の数と、前記領域検出手段により検出された領域とに基づいて、前記切替え表示を制御する制御手段と、
を備え、
前記制御手段は、前記数検出手段により検出された複数の接触操作の数が同数であっても、前記領域検出手段により一の領域が検出されたか、或いは複数の領域が検出されたかに応じて、異なる切替え表示の制御を行うことを特徴としている。
【発明の効果】
【０００７】
本発明によれば、選択可能な画像の切替え表示の種類を増加させることができるとともに、ユーザが所望の切替え表示を選択する際の操作性の低下を抑制することができる。
【図面の簡単な説明】
【０００８】
【図１】本発明を適用した実施形態１の表示装置の概略構成を示すブロック図である。
【図２】図１の表示装置のタッチパネルを区分する複数の領域の一例を模式的に示す図である。
【図３】図１の表示装置による切替え表示の処理内容の一例を示す図である。
【図４】図１の表示装置による再生処理に係る動作の一例を示すフローチャートである。
【図５】本発明を適用した実施形態２の表示装置の概略構成を示すブロック図である。
【図６】図５の表示装置による切替え表示の処理内容の一例を示す図である。
【図７】図５の表示装置による再生処理に係る動作の一例を示すフローチャートである。
【図８】図７の再生処理の続きを示すフローチャートである。
【図９】変形例１の表示装置による案内表示の一例を模式的に示す図である。
【発明を実施するための形態】
【０００９】
以下に、本発明について、図面を用いて具体的な態様を説明する。ただし、発明の範囲は、図示例に限定されない。
【００１０】
［実施形態１］
図１は、本発明を適用した実施形態１の表示装置１００の概略構成を示すブロック図である。
図１に示すように、実施形態１の表示装置１００は、具体的には、中央制御部１と、メモリ２と、画像記録部３と、表示部４と、操作入力部５と、動作処理部６とを備えている。
また、中央制御部１、メモリ２、画像記録部３、表示部４、操作入力部５及び動作処理部６は、バスライン７を介して接続されている。
【００１１】
中央制御部１は、表示装置１００の各部を制御するものである。具体的には、中央制御部１は、図示は省略するが、ＣＰＵ（Central Processing Unit）等を備え、表示装置１００用の各種処理プログラム（図示略）に従って各種の制御動作を行う。
【００１２】
メモリ２は、例えば、ＤＲＡＭ（Dynamic Random Access Memory）等により構成され、中央制御部１、動作処理部６等によって処理されるデータ等を一時的に格納する。
【００１３】
画像記録部３は、例えば、ＳＳＤ（Solid State Drive）等から構成され、図示しない画像処理部により所定の圧縮形式（例えば、ＪＰＥＧ形式、ＭＰＥＧ形式等）で符号化された静止画像や動画像の画像データを記録する。
なお、画像記録部３に記録されている画像データは、当該表示装置１００の図示しない撮像部により撮像されたものであっても良いし、外部の撮像装置（図示略）により撮像された後、当該表示装置１００に転送されて画像記録部３に記録されたものであっても良い。
また、画像記録部３は、例えば、記録媒体（図示略）が着脱自在に構成され、装着された記録媒体からのデータの読み出しや記録媒体に対するデータの書き込みを制御する構成であっても良い。
【００１４】
表示部４は、表示パネル４ａの表示画面に画像を表示する。
すなわち、表示部４は、図示しない画像処理部により復号された所定サイズの画像データに基づいて、所定の画像を表示パネル（表示手段）４ａの表示画面に表示する。また、表示部４は、後述するように、動作処理部６の第１切替制御部６ｃ（後述）の制御下にて、画像記録部３から読み出された動画像を所定の再生フレームレート（例えば、３０ｆｐｓ）で再生する。
なお、表示パネル４ａは、例えば、液晶表示パネルや有機ＥＬ（Electro-Luminescence）表示パネル等から構成されているが、一例であってこれらに限られるものではない。
【００１５】
操作入力部５は、当該表示装置１００の所定操作を行うためのものである。具体的には、操作入力部５は、電源のＯＮ／ＯＦＦ操作に係る電源ボタン、各種のモードや機能等の選択指示に係る選択決定ボタン等（何れも図示略）を備えている。
そして、ユーザにより各種ボタンが操作されると、操作入力部５は、操作されたボタンに応じた操作指示を中央制御部１に出力する。中央制御部１は、操作入力部５から入力された操作指示に従って所定の動作（例えば、動画像の再生等）を各部に実行させる。
【００１６】
また、操作入力部５は、表示部４の表示パネル４ａと一体となって設けられたタッチパネル５ａを有している。
タッチパネル５ａは、表示パネル４ａの表示領域をなす表示画面に直接的若しくは間接的に接触するユーザの指（手）やタッチペン等の接触位置を検出する。すなわち、タッチパネル５ａは、例えば、表示パネル４ａの表示画面上或いは当該表示画面よりも内側に設けられ、静電容量方式、抵抗膜方式、超音波表面弾性波方式等の各種方式により、表示画面上における接触位置のＸＹ座標を所定のサンプリング周期で検出する。そして、タッチパネル５ａは、接触位置のＸＹ座標に係る位置信号を動作処理部６に出力する。
【００１７】
また、タッチパネル５ａは、例えば、動画再生中のような所定の状態において、複数の領域に区分されている（図２（ａ）及び図２（ｂ）参照）。
例えば、図２（ａ）に示すように、タッチパネル５ａが二つの領域に等分される場合、向かって右側に第１領域Ａ１が設けられ、向かって左側に第２領域Ａ２が設けられている。また、例えば、図２（ｂ）に示すように、タッチパネル５ａが四つの領域に等分される場合、向かって右側且つ上側に第１領域Ａ１が設けられ、向かって左側且つ上側に第２領域Ａ２が設けられ、向かって右側且つ下側に第３領域Ａ３が設けられ、向かって左側且つ下側に第４領域Ａ４が設けられている。
なお、タッチパネル５ａを区分する複数の領域として、図２（ａ）及び図２（ｂ）に示したものは一例であり、領域の数や形状や配置等は適宜任意に変更可能である。例えば、領域の数は、奇数であっても良いし、また、複数の領域は、各々の形状や面積等を互いに異ならせても良い。
【００１８】
また、タッチパネル５ａを区分する複数の領域は、例えば、動作処理部６の第１切替制御部６ｃ（後述）による切替え表示処理における互いに異なる切替え方向が対応付けられている。
ここで、切替え方向とは、例えば、表示対象が動画像の場合、当該動画像を構成する複数のフレーム画像の送り方向のことを言い、順方向や逆方向が挙げられる。
具体的には、例えば、タッチパネル５ａが第１領域Ａ１と第２領域Ａ２の二つの領域に区分されている場合（図２（ａ）参照）、第１領域Ａ１は、切替え方向として順方向が対応付けられ、第２領域Ａ２は、切替え方向として逆方向が対応付けられている。なお、後述するように、第１切替制御部６ｃによる切替え表示処理では、タッチパネル５ａの各領域に対する接触操作の数に応じてフレーム画像の切替え速度を制御するようになっており、第１領域Ａ１は、フレーム画像を通常の切替え速度に対して高速で順方向に切替える「早送り」に対応し、第２領域Ａ２は、フレーム画像を通常の切替え速度に対して高速で逆方向に切替える「早戻し」に対応している。
また、例えば、タッチパネル５ａが第１〜第４領域Ａ１〜Ａ４の四つの領域に区分されている場合（図２（ｂ）参照）、第１領域Ａ１及び第３領域Ａ３は、切替え方向として順方向が対応付けられ、第２領域Ａ２及び第４領域Ａ４は、切替え方向として逆方向が対応付けられている。なお、上記と同様に、第１切替制御部６ｃによる切替え表示処理では、第１領域Ａ１は、フレーム画像を通常の切替え速度に対して高速で順方向に切替える「早送り」に対応し、第２領域Ａ２は、フレーム画像を通常の切替え速度に対して高速で逆方向に切替える「早戻し」に対応し、第３領域Ａ３は、フレーム画像を通常の切替え速度に対して低速で順方向に切替える「遅送り」に対応し、第４領域Ａ４は、フレーム画像を通常の切替え速度に対して低速で逆方向に切替える「遅戻し」に対応している。
【００１９】
なお、図２（ａ）や図２（ｂ）にあっては、表示パネル４ａと一体となって設けられたタッチパネル５ａを区分する複数の領域の一例を模式的に表しており、実際には各図における領域どうしの境界を表す破線や「早送り」、「早戻し」、「遅送り」、「遅戻し」の文言は表示パネル４ａに表示されない。
【００２０】
動作処理部６は、接触数検出部６ａと、第１接触領域検出部６ｂと、第１切替制御部６ｃとを具備している。
なお、動作処理部６の各部は、例えば、所定のロジック回路から構成されているが、当該構成は一例であってこれに限られるものではない。
【００２１】
接触数検出部（数検出手段）６ａは、タッチパネル５ａに対するユーザによる同時又は連続する一連の接触操作にて行われる接触操作の数を検出する。
ここで、タッチパネル５ａに対するユーザによる同時又は連続する一連の接触操作は、繋がりのある互いに関連した接触操作のことを言う。つまり、同時に行われる接触操作の数や時間差のある接触操作の回数等が制限されるものではなく、同時に行われる接触操作の数が一であっても複数であっても良いし、時間差のある接触操作の回数が一回であっても複数回であっても良い。すなわち、例えば、ユーザがタッチパネル５ａに対して同時に複数の接触位置に接触するような接触操作や、ユーザによるタッチパネル５ａの複数の接触位置のうちの何れかの接触位置（例えば、第１領域Ａ１に含まれる接触位置等）における接触状態を維持したままで、他の接触位置（例えば、第２領域Ａ２に含まれる接触位置等）における接触状態を一旦解除してから接触状態に戻す接触操作等を含む。
なお、タッチパネル５ａに対して同時に行われる接触操作には、タッチパネル５ａに対して同時に複数の接触位置に接触されている状態が確保できれば、ユーザによる各接触位置への接触操作が時間差をつけて行われる接触操作が含まれる。すなわち、ユーザによるタッチパネル５ａの複数の接触位置の各々への接触操作が時間差をつけて行われる接触操作であっても、ユーザがタッチパネル５ａに対して同時に複数の接触位置に接触されている状態が確保されていれば良い。
【００２２】
そして、タッチパネル５ａに対するユーザによる同時又は連続する一連の接触操作にてタッチパネル５ａが接触操作される毎に、接触数検出部６ａは、タッチパネル５ａから出力された接触位置のＸＹ座標に係る位置信号を取得し、取得された位置信号に基づいて接触操作の数を検出する。具体的には、接触数検出部６ａは、例えば、タッチパネル５ａの一のＸＹ座標に係る位置信号を取得した場合には、ユーザによってタッチパネル５ａの１箇所が接触操作された状態であり、接触操作の数が１であると検出する。また、接触数検出部６ａは、例えば、タッチパネル５ａの複数（例えば、２つ）の異なるＸＹ座標に係る位置信号を取得した場合には、ユーザによってタッチパネル５ａの異なる複数箇所（例えば、２箇所）が接触操作された状態であり、接触操作の数が複数（例えば、２）であると検出する。
ここで、接触数検出部６ａによる接触操作の数の検出は、例えば、ユーザによるタッチパネル５ａの継続した接触操作に基づいて位置信号を継続して取得している期間や、ユーザによるタッチパネル５ａの最初の接触操作に基づいて位置信号を取得してから所定時間が経過するまで行われる。
【００２３】
第１接触領域検出部（領域検出手段）６ｂは、タッチパネル５ａを区分する複数の領域の中で、ユーザによる同時又は連続する一連の接触操作にて接触された接触位置が含まれる領域を検出する。
すなわち、第１接触領域検出部６ｂは、タッチパネル５ａに対するユーザによる同時又は連続する一連の接触操作にてタッチパネル５ａが接触操作されると、タッチパネル５ａから出力された接触位置のＸＹ座標に係る位置信号を取得し、タッチパネル５ａを区分する複数の領域の中で、取得された位置信号が含まれる領域を検出する。具体的には、第１接触領域検出部６ｂは、例えば、タッチパネル５ａの一のＸＹ座標に係る位置信号を取得した場合には、取得された位置信号が含まれる一の領域（例えば、第１領域Ａ１等）を検出する。また、第１接触領域検出部６ｂは、例えば、タッチパネル５ａの複数（例えば、二つ）の異なるＸＹ座標に係る位置信号を取得した場合には、取得されたそれぞれの位置信号が含まれる複数の領域（例えば、第１領域Ａ１及び第２領域Ａ２等）を検出する。
ここで、第１接触領域検出部６ｂによる接触領域の検出は、例えば、ユーザによるタッチパネル５ａの継続した接触操作に基づいて位置信号を継続して取得している期間や、ユーザによるタッチパネル５ａの最初の接触操作に基づいて位置信号を取得してから所定時間が経過するまで行われる。
【００２４】
第１切替制御部６ｃは、表示部４に表示される動画像の再生、すなわち、当該動画像を構成する複数のフレーム画像の切替え表示を制御する。
すなわち、動作処理部６は、例えば、ＶＲＡＭ（Video Random Access Memory）、ＶＲＡＭコントローラ、デジタルビデオエンコーダなど（何れも図示略）を備えている。そして、デジタルビデオエンコーダは、画像処理部（図示略）により復号されてＶＲＡＭに記録されている輝度信号Ｙ及び色差信号Ｃｂ，Ｃｒを、ＶＲＡＭコントローラを介してＶＲＡＭから所定の再生フレームレート（例えば、３０ｆｐｓ）で読み出して、これらのデータを元にビデオ信号を発生して表示部４の表示パネル４ａに出力する。
このとき、第１再生制御部（制御手段）６ｃは、接触数検出部６ａにより検出された接触操作の数と、第１接触領域検出部６ｂにより検出されたタッチパネル５ａの領域とに基づいて、表示パネル４ａに表示されているフレーム画像を他のフレーム画像に切替える切替え表示を制御する（切替え表示処理）。例えば、第１切替制御部６ｃは、第１接触領域検出部６ｂにより一の領域（例えば、第１領域Ａ１等）が検出された場合は、接触数検出部６ａにより検出される接触操作の数に応じて、一の領域に対応付けられている切替え方向（例えば、順送り等）に動画像を構成する複数のフレーム画像を切替える際の切替え速度を調整する制御を行う。
【００２５】
例えば、図３（ａ）に示すように、タッチパネル５ａが第１領域Ａ１と第２領域Ａ２の二つの領域に区分されている場合、ユーザの接触領域が「第１領域Ａ１」で、接触数が「１」では１倍速で順方向にフレーム画像を切替える「１倍速順方向再生」となり、接触数が「２」では２倍速で順方向にフレーム画像を切替える「２倍速順方向再生」となり、接触数が「３」では３倍速で順方向にフレーム画像を切替える「３倍速順方向再生」となる。また、ユーザの接触領域が「第１領域Ａ２」で、接触数が「１」では１倍速で逆方向にフレーム画像を切替える「１倍速逆方向再生」となり、接触数が「２」では２倍速で逆方向にフレーム画像を切替える「２倍速逆方向再生」となり、接触数が「３」では３倍速で逆方向にフレーム画像を切替える「３倍速逆方向再生」となる。
また、例えば、図３（ｂ）に示すように、タッチパネル５ａが第１〜第４領域Ａ１〜Ａ４の四つの領域に区分されている場合、ユーザの接触領域が「第１領域Ａ１」及び「第２領域Ａ２」では、上記した図３（ａ）と同様の処理となる。また、ユーザの接触領域が「第３領域Ａ３」で、接触数が「１」では１倍速で順方向にフレーム画像を切替える「１倍速順方向再生」となり、接触数が「２」では１／２倍速で順方向にフレーム画像を切替える「１／２倍速順方向再生」となり、接触数が「３」では１／３倍速で順方向にフレーム画像を切替える「１／３倍速順方向再生」となる。また、ユーザの接触領域が「第４領域整理番号:1502260000 特願2015-117912   (Proof) 提出日:平成27年 6月11日 6
Ａ４」で、接触数が「１」では１倍速で逆方向にフレーム画像を切替える「１倍速逆方向再生」となり、接触数が「２」では１／２倍速で逆方向にフレーム画像を切替える「１／２倍速逆方向再生」となり、接触数が「３」では１／３倍速で逆方向にフレーム画像を切替える「１／３倍速逆方向再生」となる。
【００２６】
なお、上記した切替え速度の調整は、例えば、ユーザによりタッチパネル５ａが接触操作されている期間のみ行われ、接触操作が解除された後は１倍速での順方向の再生に戻すようにしても良いし、接触操作が解除された後も接触操作の数に応じて調整された画像の切替え速度を維持するようにしても良く、ユーザにより適宜任意に選択可能となっている。
また、切替え速度の具体的な調整手法としては、例えば、再生フレームレートや間引き率の設定等が挙げられるが、再生フレームレートや間引き率の設定は、公知の技術であり、その詳細な説明は省略する。
【００２７】
また、例えば、第１切替制御部６ｃは、第１接触領域検出部６ｂにより複数の領域（例えば、第１領域Ａ１及び第２領域Ａ２等）が検出された場合は、動画像を構成する複数のフレーム画像の切替え速度の調整以外の制御内容で切替え表示を制御する。
ここで、フレーム画像の切替え速度の調整以外の制御内容としては、ユーザによるタッチパネル５ａの接触操作が行われた時点で表示パネル４ａに表示されているフレーム画像を表示させたままの一時停止や、例えば、動画像を構成する最初のフレーム画像、最後のフレーム画像、各チャプタの最初のフレーム画像等の所定の画像への切替え等が挙げられる。
なお、動画像へのチャプタの設定は、例えば、動画像の撮影や記録の際に公知の技術により自動的に行われても良いし、ユーザにより手動で行われても良い。
【００２８】
具体的には、タッチパネル５ａに対するユーザによる一連の接触操作として、例えば、複数の領域（例えば、第１領域Ａ１及び第２領域Ａ２等）が同時に接触操作されることで、第１接触領域検出部６ｂにより複数の領域が検出されると、第１切替制御部６ｃは、表示パネル４ａに表示されているフレーム画像を表示させたまま一時停止させる。この場合に、ユーザによって複数の領域に含まれる複数の接触位置のうちの何れかの接触位置（例えば、第１領域Ａ１に含まれる接触位置等）における接触状態を維持したままで、他の接触位置（例えば、第２領域Ａ２に含まれる接触位置等）における接触状態を一旦解除してから接触状態に戻す接触操作が行われると、第１切替制御部６ｃは、一又は複数のフレーム画像を所定方向（例えば、順方向や逆方向）に送る画像送りにより所定の画像への切替えを行う。
例えば、図３（ａ）に示すように、タッチパネル５ａが第１領域Ａ１と第２領域Ａ２の二つの領域に区分されている場合、ユーザによって第１領域Ａ１と第２領域Ａ２が同時に接触操作されると（接触領域が「第１領域Ａ１＋第２領域Ａ２」で、接触数が「２」）、表示パネル４ａに表示されているフレーム画像を表示させたままの「一時停止」となる。この場合に、接触状態を一旦解除してから接触状態に戻す接触操作が行われる領域（接触解除後、再接触する領域）が「第１領域Ａ１」では順方向に一フレーム画像分切替える「順方向コマ送り」となり、接触解除後、再接触する領域が「第２領域Ａ２」では逆方向に一フレーム画像分切替える「逆方向コマ送り」となる。
また、例えば、図３（ｂ）に示すように、タッチパネル５ａが第１〜第４領域Ａ１〜Ａ４の四つの領域に区分されている場合、第１領域Ａ１と第２領域Ａ２に対する接触操作では、上記した図３（ａ）と同様の処理となる。また、ユーザによって第１領域Ａ１と第３領域Ａ３が同時に接触操作されると（接触領域が「第１領域Ａ１＋第３領域Ａ３」で、接触数が「２」）、表示パネル４ａに表示されているフレーム画像を最後のフレーム画像に切替える「最後までジャンプ」となる。また、ユーザによって第１領域Ａ１と第４領域Ａ４が同時に接触操作されると（接触領域が「第１領域Ａ１＋第４領域Ａ４」で、接触数が「２」）、表示パネル４ａに表示されているフレーム画像を表示させたままの「一時停止」となり、その後の処理は、接触解除後、再接触する領域が「第１領域Ａ１」では順方向に次のチャプタの最初のフレーム画像に切替える「順方向チャプタ送り」となり、接触解除後、再接触する領域が「第４領域Ａ４」では逆方向に次のチャプタの最初のフレーム画像に切替える「逆方向チャプタ送り」となる。また、ユーザによって第２領域Ａ２と第３領域Ａ３が同時に接触操作されると（接触領域が「第２領域Ａ２＋第３領域Ａ３」で、接触数が「２」）、表示パネル４ａに表示されているフレーム画像を表示させたままの「一時停止」となり、その後の処理は、接触解除後、再接触する領域が「第２領域Ａ２」では「逆方向チャプタ送り」となり、接触解除後、再接触する領域が「第３領域Ａ３」では「順方向チャプタ送り」となる。また、ユーザによって第２領域Ａ２と第４領域Ａ４が同時に接触操作されると（接触領域が「第２領域Ａ２＋第４領域Ａ４」で、接触数が「２」）、表示パネル４ａに表示されているフレーム画像を最初のフレーム画像に切替える「先頭までジャンプ」となる。また、ユーザによって第３領域Ａ３と第４領域Ａ４が同時に接触操作されると（接触領域が「第３領域Ａ３＋第４領域Ａ４」で、接触数が「２」）、表示パネル４ａに表示されているフレーム画像を表示させたままの「一時停止」となり、その後の処理は、接触解除後、再接触する領域が「第３領域Ａ３」では「順方向コマ送り」となり、接触解除後、再接触する領域が「第４領域Ａ４」では「逆方向コマ送り」となる。
【００２９】
なお、切替え表示処理として、図３（ａ）及び図３（ｂ）に示したものは一例であり、フレーム画像の切替え速度や切替え方向、処理内容等は適宜任意に変更可能である。例えば、画像の切替え速度の調整の際に、接触数を乗数として設定することで重みを変更するようにしても良い。また、タッチパネル５ａが３つ以上の領域に区分されている場合には、同時に接触操作される接触数が３以上となっても良い。
【００３０】
＜再生処理＞
次に、表示装置１００による再生処理について、図４を参照して説明する。
図４は、再生処理に係る動作の一例を示すフローチャートである。
なお、以下の再生処理では、タッチパネル５ａが第１領域Ａ１と第２領域Ａ２の二つの領域に区分されているものとする。また、フレーム画像の切替え速度の調整は、ユーザによりタッチパネル５ａが接触操作されている期間のみ行われるものとする。
【００３１】
図４に示すように、先ず、画像記録部３に記録されている動画像のうち、ユーザによる操作入力部５の所定操作に基づいて表示対象となる動画像が指定されると、動作処理部６は、指定された動画像を画像記録部３から読み出し、図示しない画像処理部により復号された動画像を構成する複数のフレーム画像を表示部４に出力して、第１切替制御部６ｃは、表示パネル４ａに表示される動画像を所定の再生フレームレート（例えば、３０ｆｐｓ等）で再生させる（ステップＳ１）。
【００３２】
次に、動作処理部６は、ユーザによってタッチパネル５ａが接触操作されたか否かを判定する（ステップＳ２）。
ここで、タッチパネル５ａが接触操作されていないと判定されると（ステップＳ２；ＮＯ）、動作処理部６は、動画像の再生が終了したか否かを判定する（ステップＳ３）。
【００３３】
ステップＳ３にて、動画像の再生が終了していないと判定されると（ステップＳ３；ＮＯ）、動作処理部６は、処理をステップＳ２に戻し、タッチパネル５ａが接触操作されたか否かを判定する処理を所定の時間間隔で繰り返し実行する。
一方、ステップＳ３にて、動画像の再生が終了したと判定されると（ステップＳ３；ＹＥＳ）、動作処理部６は、当該再生処理を終了する。
【００３４】
ステップＳ２にて、タッチパネル５ａが接触操作されたと判定されると（ステップＳ２；ＹＥＳ）、接触数検出部６ａは、タッチパネル５ａから出力された接触位置のＸＹ座標に係る位置信号を取得し、取得された位置信号に基づいて接触操作の数を検出する（ステップＳ４）。続けて、第１接触領域検出部６ｂは、タッチパネル５ａから出力された接触位置のＸＹ座標に係る位置信号を取得し、タッチパネル５ａを区分する複数の領域の中で、取得された位置信号が含まれる領域を検出する（ステップＳ５）。
なお、ステップＳ４における接触操作の数の検出と、ステップＳ５における接触された領域の検出の順序は、一例であってこれに限られるものではなく、例えば、逆であっても良い。
【００３５】
次に、第１切替制御部６ｃは、第１接触領域検出部６ｂにより複数の領域（例えば、第１領域Ａ１及び第２領域Ａ２）が検出されたか否かを判定する（ステップＳ６）。
ここで、複数の領域が検出されていないと判定されると（ステップＳ６；ＮＯ）、第１切替制御部６ｃは、接触数検出部６ａにより検出された接触操作の数（例えば、２）に応じて、動画像を構成する複数のフレーム画像を切替える際の切替え速度（例えば、２倍速）を調整する（ステップＳ７）。続けて、第１切替制御部６ｃは、調整後の切替え速度で、第１接触領域検出部６ｂにより検出された一の領域（例えば、第１領域Ａ１）に対応付けられている切替え方向（例えば、順送り等）に複数のフレーム画像を切替える切替え表示（例えば、２倍速順方向再生）によって動画像を再生させる（ステップＳ８）。
【００３６】
次に、動作処理部６は、ユーザによるタッチパネル５ａの接触操作が終了したか否かを判定する（ステップＳ９）。
ここで、ユーザによるタッチパネル５ａの接触操作が終了していないと判定されると（ステップＳ９；ＮＯ）、第１切替制御部６ｃは、処理をステップＳ８に戻し、それ以降の各処理を実行する。すなわち、上記したように、ステップＳ８、Ｓ９の各処理が逐次実行され、ユーザによるタッチパネル５ａの接触操作に応じた複数のフレーム画像の切替え表示が行われる。
【００３７】
ステップＳ９にて、ユーザによるタッチパネル５ａの接触操作が終了したと判定されると（ステップＳ９；ＹＥＳ）、第１切替制御部６ｃは、複数のフレーム画像の切替え速度を通常の切替え速度（例えば、１倍）に戻し、動画像を再生する（ステップＳ１０）。
その後、動作処理部６は、処理をステップＳ２に戻す。
【００３８】
一方、ステップＳ６にて、複数の領域が検出されたと判定されると（ステップＳ６；ＹＥＳ）、第１切替制御部６ｃは、表示パネル４ａに表示されているフレーム画像を表示させたまま一時停止させる（ステップＳ１１）。
続けて、動作処理部６は、ユーザによって接触操作されている何れか一の接触位置にて、接触状態を一旦解除してから再度接触状態に戻す接触操作が行われたか否かを判定する（ステップＳ１２）。
ここで、接触状態を一旦解除してから再度接触状態に戻す接触操作が行われていないと判定されると（ステップＳ１２；ＮＯ）、動作処理部６は、ユーザによるタッチパネル５ａの接触操作が終了したか否かを判定する（ステップＳ１３）。
ここで、ユーザによるタッチパネル５ａの接触操作が終了していないと判定されると（ステップＳ１３；ＮＯ）、第１切替制御部６ｃは、処理をステップＳ１１に戻し、表示パネル４ａに表示されているフレーム画像を一時停止させた状態を維持する。
【００３９】
ステップＳ１２にて、接触状態を一旦解除してから再度接触状態に戻す接触操作が行われたと判定されると（ステップＳ１２；ＹＥＳ）、第１切替制御部６ｃは、接触状態を一旦解除してから接触状態に戻す接触操作が行われた領域（例えば、第１領域Ａ１）に応じた所定方向（例えば、順方向）に一フレーム画像分切替える画像送り（例えば、順方向コマ送り）により所定の画像への切替えを行う（ステップＳ１４）。
【００４０】
その後、動作処理部６は、処理をステップＳ１３に移行し、ユーザによるタッチパネル５ａの接触操作が終了したか否かを判定する（ステップＳ１３）。
ここで、ユーザによるタッチパネル５ａの接触操作が終了していないと判定されると（ステップＳ１３；ＮＯ）、第１切替制御部６ｃは、処理をステップＳ１１に戻し、それ以降の各処理を実行する。すなわち、上記したように、ステップＳ１１〜Ｓ１４の各処理が逐次実行され、ユーザによるタッチパネル５ａの接触操作に応じた複数のフレーム画像の切替え表示が行われる。
【００４１】
ステップＳ１３にて、ユーザによるタッチパネル５ａの接触操作が終了したと判定されると（ステップＳ１３；ＹＥＳ）、第１切替制御部６ｃは、処理をステップＳ１０に移行し、複数のフレーム画像の切替え速度を通常の切替え速度（例えば、１倍）に戻し、動画像を再生する（ステップＳ１０）。
その後、動作処理部６は、処理をステップＳ２に戻す。
【００４２】
以上のように、実施形態１の表示装置１００によれば、タッチパネル５ａに対するユーザによる同時又は連続する一連の接触操作にて行われる接触操作の数と、タッチパネル５ａを区分する複数の領域の中で、ユーザによる同時又は連続する一連の接触操作にて接触された接触位置が含まれる領域とに基づいて、表示パネル４ａに表示されているフレーム画像を他のフレーム画像に切替える切替え表示を制御するので、ユーザによる同時又は連続する一連の接触操作にて行われる接触操作の数や領域の組み合わせに対応させて、選択可能なフレーム画像の切替え表示の種類を増加させることができ、搭載可能なタッチパネル５ａの大きさが制限されている状況でも、ユーザが所望の切替え表示を選択する際の操作性の低下を抑制することができる。
【００４３】
また、タッチパネル５ａを区分する複数の領域毎に、切替え表示における互いに異なる切替え方向が対応付けられ、ユーザによる一連の接触操作にてタッチパネル５ａの一の領域が接触操作された場合に、接触操作の数に応じて一の領域に対応付けられている切替え方向にフレーム画像を切替える際の切替え速度を調整する制御を行うので、タッチパネル５ａに対するユーザによる一連の接触操作にて行われる接触操作の数や接触位置によって切替え方向及び切替え速度を変更することができ、ユーザが所望の切替え表示の選択をより容易な操作で実現することができる。
さらに、ユーザによる一連の接触操作にてタッチパネル５ａの複数の領域が接触操作された場合は、フレーム画像の切替え速度の調整以外の制御内容で切替え表示を制御するので、タッチパネル５ａに対するユーザによる一連の接触操作にて行われる接触操作の態様によって、例えば、表示パネル４ａに表示されているフレーム画像を表示させたまま一時停止や所定の画像への切替え等を行うことができ、ユーザが所望の切替え表示の選択をより容易な操作で実現することができる。具体的には、ユーザによりタッチパネル５ａの複数の領域が接触操作され、表示パネル４ａに表示されているフレーム画像を表示させたまま一時停止させた状態で、タッチパネル５ａの複数の領域に含まれる複数の接触位置のうちの何れかの接触位置における接触状態を維持したまま、他の接触位置における接触状態を一旦解除してから接触状態に戻す接触操作に基づいて、一又は複数の画像送りの何れかにより所定の画像への切替えを行うことで、接触状態の解除や再接触といった容易な操作でより多彩な切替え表示を実現することができる。
また、上記のタッチパネル５ａに対するユーザによる一連の接触操作は、タッチパネル５ａに対して同時に複数の接触位置に接触されている状態が確保できれば、各接触位置への接触操作が時間差をつけて行われる接触操作であっても良いため、タッチパネル５ａの複数の接触位置における接触操作のタイミングが厳密に同時である必要がなくなり、ユーザが所望の切替え表示の選択をより容易な操作で実現することができる。
【００４４】
［実施形態２］
以下に、実施形態２の表示装置２００について、図５〜図８を参照して説明する。
図５は、本発明を適用した実施形態２の表示装置２００の概略構成を示すブロック図である。
なお、以下に説明する以外の点は、上記実施形態１の表示装置１００と略同様の構成及び機能をなし、その具体的な説明は省略する。
【００４５】
図５に示すように、動作処理部２０６は、接触数検出部６ａと、第２接触領域検出部２０６ｂと、第２切替制御部２０６ｃとを具備している。
【００４６】
第２接触領域検出部２０６ｂは、第１接触領域検出部６ｂと同様に、タッチパネル５ａを区分する複数の領域の中で、ユーザによる同時又は連続する一連の接触操作にて接触された接触位置が含まれる領域を検出する。また、第２接触領域検出部２０６ｂは、タッチパネル５ａに対するユーザによる一連の接触操作にて時間差をつけて複数の接触操作が行われた場合に、具体的には、ユーザによりタッチパネル５ａに対して所定時間（例えば、500ms）内に連続して複数の接触操作が行われた場合に、当該複数の接触操作が行われた複数の領域の接触操作の順序を検出する。
ここで、タッチパネル５ａに対するユーザによる一連の接触操作は、例えば、上記実施形態１で例示したように、ユーザがタッチパネル５ａに対して同時に複数の接触位置に接触するような接触操作、ユーザによるタッチパネル５ａの複数の接触位置のうちの何れかの接触位置における接触状態を維持したままで、他の接触位置における接触状態を一旦解除してから接触状態に戻す接触操作の他に、ユーザがタッチパネル５ａの何れかの領域に対して所定時間内に連続して行う複数の接触操作等を含む。
なお、ユーザがタッチパネル５ａに対して複数の接触操作を連続して行う場合、例えば、先の接触操作の接触状態を一旦解除してから、後の接触操作を行っても良いし、先の接触操作の接触状態を維持したままで、後の接触操作を行っても良い。
【００４７】
すなわち、第２接触領域検出部２０６ｂは、タッチパネル５ａに対するユーザによる接触操作が行われる毎に、タッチパネル５ａから出力された接触位置のＸＹ座標に係る位置信号を取得するとともに、タッチパネル５ａが接触操作された時刻を計時部（図示略）から取得する。そして、第２接触領域検出部２０６ｂは、タッチパネル５ａに対するユーザによる接触操作の各々について、タッチパネル５ａを区分する複数の領域の中で、取得された位置信号が含まれる領域を検出する。さらに、第２接触領域検出部２０６ｂは、タッチパネル５ａの何れかの領域に対する一の接触操作が行われた時点から所定時間内に連続して行われた接触操作について、タッチパネル５ａの複数の領域の接触操作の順序を検出する。
【００４８】
第２切替制御部２０６ｃは、第１切替制御部６ｃと同様に、動画像を構成する複数のフレーム画像の切替え表示を制御する。また、第２切替制御部２０６ｃは、第２接触領域検出部２０６ｂにより検出されたタッチパネル５ａに対するユーザによる一連の接触操作にて時間差をつけて行われた複数の接触操作の順序に基づいて、切替え表示を制御する。具体的には、第２切替制御部２０６ｃは、第２接触領域検出部２０６ｂにより検出された複数の接触操作の順序に基づいて、動画像を構成する複数のフレーム画像の切替え速度の調整や、切替え速度の調整以外の制御内容で切替え表示を制御する。
【００４９】
例えば、図６（ａ）に示すように、タッチパネル５ａが第１領域Ａ１と第２領域Ａ２の二つの領域に区分されている場合、ユーザの接触領域が「第１領域Ａ１」で、接触数が「１」では「１倍速順方向再生」となり、ユーザによる２つの接触操作が同時か、或いは、連続して行われると（接触の態様が「同時、連続」）で、接触数が「２」）、「２倍速順方向再生」となり、ユーザによる３つの接触操作が同時か、或いは、連続して行われると（接触の態様が「同時、連続」）で、接触数が「３」）、「３倍速順方向再生」となる。また、ユーザの接触領域が「第２領域Ａ２」で、接触数が「１」では「１倍速逆方向再生」となり、ユーザによる２つの接触操作が同時か、或いは、連続して行われると（接触の態様が「同時、連続」）で、接触数が「２」）、「２倍速逆方向再生」となり、ユーザによる３つの接触操作が同時か、或いは、連続して行われると（接触の態様が「同時、連続」）で、接触数が「３」）、「３倍速逆方向再生」となる。
また、ユーザの接触領域が「第１領域Ａ１」と「第２領域Ａ２」で、第１領域Ａ１及び第２領域Ａ２に対して同時に接触操作されると（接触数が「２」で、接触の態様が「同時」）、「一時停止」となり、ユーザにより第１領域Ａ１に続けて第２領域Ａ２が連続して接触操作されると（接触数が「２」で、接触の態様が「連続（第１領域が先）」）、「１／２倍速順方向再生」となり、ユーザにより第２領域Ａ２に続けて第１領域Ａ１が連続して接触操作されると（接触数が「２」で、接触の態様が「連続（第２領域が先）」）、「１／２倍速逆方向再生」となる。
【００５０】
また、例えば、図６（ｂ）に示すように、タッチパネル５ａが第１〜第４領域Ａ１〜Ａ４の四つの領域に区分されている場合、ユーザによる「第１領域Ａ１」及び「第２領域Ａ２」のみに対する接触操作では、上記した図６（ａ）と同様の処理となる。また、ユーザの接触領域が「第３領域Ａ３」で、接触数が「１」では「１倍速順方向再生」となり、ユーザによる２つの接触操作が同時か、或いは、連続して行われると（接触の態様が「同時、連続」）で、接触数が「２」）、「１／２倍速順方向再生」となり、ユーザによる３つの接触操作が同時か、或いは、連続して行われると（接触の態様が「同時、連続」）で、接触数が「３」）、「１／３倍速順方向再生」となる。また、ユーザの接触領域が「第４領域Ａ４」で、接触数が「１」では「１倍速逆方向再生」となり、ユーザによる２つの接触操作が同時か、或いは、連続して行われると（接触の態様が「同時、連続」）で、接触数が「２」）、「１／２倍速逆方向再生」となり、ユーザによる３つの接触操作が同時か、或いは、連続して行われると（接触の態様が「同時、連続」）で、接触数が「３」）、「１／３倍速逆方向再生」となる。
また、ユーザの接触領域が「第１領域Ａ１」と「第２領域Ａ２」で、第１領域Ａ１及び第２領域Ａ２に対して同時に接触操作されると（接触数が「２」で、接触の態様が「同時」）、「一時停止」となり、ユーザにより第１領域Ａ１に続けて第２領域Ａ２が連続して接触操作されると（接触数が「２」で、接触の態様が「連続（第１領域が先）」）、「順方向コマ送り」となり、ユーザにより第２領域Ａ２に続けて第１領域Ａ１が連続して接触操作されると（接触数が「２」で、接触の態様が「連続（第２領域が先）」）、「逆方向コマ送り」となる。また、ユーザの接触領域が「第１領域Ａ１」と「第３領域Ａ３」で、ユーザによる２つの接触操作が同時か、或いは、連続して行われると（接触の態様が「同時、連続」）で、接触数が「２」）、「最後へジャンプ」となる。また、ユーザの接触領域が「第１領域Ａ１」と「第４領域Ａ４」で、第１領域Ａ１及び第４領域Ａ４に対して同時に接触操作されると（接触数が「２」で、接触の態様が「同時」）、「一時停止」となり、ユーザにより第１領域Ａ１に続けて第４領域Ａ４が連続して接触操作されると（接触数が「２」で、接触の態様が「連続（第１領域が先）」）、「順方向チャプタ送り」となり、ユーザにより第４領域Ａ４に続けて第１領域Ａ１が連続して接触操作されると（接触数が「２」で、接触の態様が「連続（第４領域が先）」）、「逆方向チャプタ送り」となる。また、ユーザの接触領域が「第２領域Ａ２」と「第３領域Ａ３」で、第２領域Ａ２及び第３領域Ａ３に対して同時に接触操作されると（接触数が「２」で、接触の態様が「同時」）、「一時停止」となり、ユーザにより第２領域Ａ２に続けて第３領域Ａ３が連続して接触操作されると（接触数が「２」で、接触の態様が「連続（第２領域が先）」）、「逆方向チャプタ送り」となり、ユーザにより第３領域Ａ３に続けて第２領域Ａ２が連続して接触操作されると（接触数が「２」で、接触の態様が「連続（第３領域が先）」）、「順方向チャプタ送り」となる。また、ユーザの接触領域が「第２領域Ａ２」と「第４領域Ａ４」で、ユーザによる２つの接触操作が同時か、或いは、連続して行われると（接触の態様が「同時、連続」）で、接触数が「２」）、「先頭へジャンプ」となる。また、ユーザの接触領域が「第３領域Ａ３」と「第４領域Ａ４」で、第３領域Ａ３及び第４領域Ａ４に対して同時に接触操作されると（接触数が「２」で、接触の態様が「同時」）、「一時停止」となり、ユーザにより第３領域Ａ３に続けて第４領域Ａ４が連続して接触操作されると（接触数が「２」で、接触の態様が「連続（第３領域が先）」）、「順方向コマ送り」となり、ユーザにより第４領域Ａ４に続けて第３領域Ａ３が連続して接触操作されると（接触数が「２」で、接触の態様が「連続（第２領域が先）」）、「逆方向コマ送り」となる。
【００５１】
なお、切替え表示処理として、図６（ａ）及び図６（ｂ）に示したものは一例であり、図３（ａ）及び図３（ｂ）に示したものと同様に、フレーム画像の切替え速度や切替え方向、処理内容等は適宜任意に変更可能である。
【００５２】
ここで、第２切替制御部２０６ｃによる切替え表示の制御を開始するタイミングについて説明する。
上記したように、第２接触領域検出部２０６ｂは、タッチパネル５ａの何れかの領域に対する一の接触操作が行われた時点から所定時間が経過するまで、次の接触操作が連続して行われるか否かを監視するようになっている。換言すると、一の接触操作後に時間差をつけて次の接触操作が行われるか、一の接触操作（接触操作自体の数は問わない）のみであるかの判別には、一の接触操作が行われた時点から所定時間の経過が必要となる。
そこで、第２切替制御部２０６ｃは、通常、一の接触操作が行われた時点から所定時間が経過した後に、切替え表示の制御を開始するようになっているが、例えば、一の接触操作が行われた時点から所定時間内に次の接触操作が行われた場合（時間差をつけた連続した接触操作であると判明した場合）には、一の接触操作が行われた時点から所定時間が経過する前の時点（例えば、次の接触操作が行われた時点等）で切替え表示の制御を開始するようにしても良い。
【００５３】
＜再生処理＞
次に、表示装置２００による再生処理について、図７及び図８を参照して説明する。
図７及び図８は、再生処理に係る動作の一例を示すフローチャートである。
なお、以下の再生処理では、タッチパネル５ａが第１領域Ａ１と第２領域Ａ２の二つの領域に区分されているものとする。また、フレーム画像の切替え速度の調整は、ユーザによりタッチパネル５ａが接触操作されている期間のみ行われるものとする。
【００５４】
図７に示すように、先ず、画像記録部３に記録されている動画像のうち、ユーザによる操作入力部５の所定操作に基づいて表示対象となる動画像が指定されると、動作処理部２０６は、上記実施形態１の再生処理と略同様に、指定された動画像を構成する複数のフレーム画像を表示部４に出力して、第２切替制御部２０６ｃは、表示パネル４ａに表示される動画像を所定の再生フレームレート（例えば、３０ｆｐｓ等）で再生させる（ステップＳ２１）。
【００５５】
次に、動作処理部２０６は、ユーザによってタッチパネル５ａが接触操作（１回目の接触操作）されたか否かを判定する（ステップＳ２２）。
ここで、タッチパネル５ａが接触操作されていないと判定されると（ステップＳ２２；ＮＯ）、動作処理部２０６は、動画像の再生が終了したか否かを判定する（ステップＳ２３）。
【００５６】
ステップＳ２３にて、動画像の再生が終了していないと判定されると（ステップＳ２３；ＮＯ）、動作処理部２０６は、処理をステップＳ２２に戻し、タッチパネル５ａが接触操作されたか否かを判定する処理を所定の時間間隔で繰り返し実行する。
一方、ステップＳ２３にて、動画像の再生が終了したと判定されると（ステップＳ２３；ＹＥＳ）、動作処理部２０６は、当該再生処理を終了する。
【００５７】
ステップＳ２２にて、タッチパネル５ａが接触操作されたと判定されると（ステップＳ２２；ＹＥＳ）、接触数検出部６ａは、上記実施形態１の再生処理と略同様に、タッチパネル５ａから出力された接触位置のＸＹ座標に係る位置信号を取得し、取得された位置信号に基づいて接触操作の数を検出する（ステップＳ２４）。続けて、第２接触領域検出部２０６ｂは、タッチパネル５ａから出力された接触位置のＸＹ座標に係る位置信号を取得し、タッチパネル５ａを区分する複数の領域の中で、取得された位置信号が含まれる領域を検出するとともに、タッチパネル５ａが接触操作された時刻を計時部（図示略）から取得する（ステップＳ２５）。
【００５８】
次に、動作処理部２０６は、ユーザによってタッチパネル５ａが接触操作（２回目以降の接触操作）されたか否かを判定する（ステップＳ２６）。
ここで、タッチパネル５ａが接触操作されていないと判定されると（ステップＳ２６；ＮＯ）、動作処理部２０６は、タッチパネル５ａの１回目の接触操作が行われた時点から所定時間が経過したか否かを判定する（ステップＳ２７）。
【００５９】
ステップＳ２７にて、タッチパネル５ａの１回目の接触操作が行われた時点から所定時間が経過していないと判定されると（ステップＳ２７；ＮＯ）、動作処理部２０６は、処理をステップＳ２６に戻し、上記と同様に、タッチパネル５ａが接触操作（２回目以降の接触操作）されたか否かを判定する（ステップＳ２６）。
【００６０】
ステップＳ２６にて、タッチパネル５ａが接触操作されたと判定されると（ステップＳ２６；ＹＥＳ）、接触数検出部６ａは、ステップＳ２４と同様に、タッチパネル５ａから出力された接触位置のＸＹ座標に係る位置信号を取得し、取得された位置信号に基づいて接触操作の数を検出する（ステップＳ２８）。続けて、第２接触領域検出部２０６ｂは、ステップＳ２５と同様に、タッチパネル５ａから出力された接触位置のＸＹ座標に係る位置信号を取得し、タッチパネル５ａを区分する複数の領域の中で、取得された位置信号が含まれる領域を検出するとともに、タッチパネル５ａが接触操作された時刻を計時部（図示略）から取得する（ステップＳ２９）。
そして、動作処理部２０６は、ステップＳ２６に戻し、タッチパネル５ａが接触操作（２回目以降の接触操作）されたか否かの判定を繰り返す。
【００６１】
その後、ステップＳ２７にて、タッチパネル５ａの１回目の接触操作が行われた時点から所定時間が経過したと判定されると（ステップＳ２７；ＹＥＳ）、図８に示すように、第２切替制御部２０６ｃは、第２接触領域検出部２０６ｂにより複数の領域（例えば、第１領域Ａ１及び第２領域Ａ２）が検出されたか否かを判定する（ステップＳ３０）。
【００６２】
ステップＳ３０にて、複数の領域が検出されていないと判定されると（ステップＳ３０；ＮＯ）、第２切替制御部２０６ｃは、接触数検出部６ａにより検出された接触操作の数（例えば、２）に応じて、動画像を構成する複数のフレーム画像を切替える際の切替え速度（例えば、２倍速）を調整する（ステップＳ３１）。続けて、第２切替制御部２０６ｃは、調整後の切替え速度で、第２接触領域検出部２０６ｂにより検出された一の領域（例えば、第１領域Ａ１）に対応付けられている切替え方向（例えば、順送り等）に複数のフレーム画像を切替える切替え表示（例えば、２倍速順方向再生）によって動画像を再生させる（ステップＳ３２）。
【００６３】
次に、動作処理部２０６は、ユーザによるタッチパネル５ａの接触操作が終了したか否かを判定する（ステップＳ３３）。
ここで、ユーザによるタッチパネル５ａの接触操作が終了していないと判定されると（ステップＳ３３；ＮＯ）、第２切替制御部２０６ｃは、処理をステップＳ３２に戻し、ユーザによるタッチパネル５ａの接触操作に応じた複数のフレーム画像の切替え表示の制御を継続して行う。
【００６４】
ステップＳ３３にて、ユーザによるタッチパネル５ａの接触操作が終了したと判定されると（ステップＳ３３；ＹＥＳ）、第２切替制御部２０６ｃは、複数のフレーム画像の切替え速度を通常の切替え速度（例えば、１倍）に戻し、動画像を再生する（ステップＳ３４）。
その後、動作処理部２０６は、処理をステップＳ２２に戻す。
【００６５】
一方、ステップＳ３０にて、複数の領域が検出されたと判定されると（ステップＳ３０；ＹＥＳ）、第２切替制御部２０６ｃは、第２接触領域検出部２０６ｂにより検出された複数の領域がユーザによって同時に接触操作されたか否かを判定する（ステップＳ３５）。
ここで、複数の領域がユーザによって同時に接触操作されたと判定されると（ステップＳ３５；ＹＥＳ）、第２切替制御部２０６ｃは、表示パネル４ａに表示されているフレーム画像を表示させたまま一時停止させる（ステップＳ３６）。
【００６６】
続けて、動作処理部２０６は、ユーザによるタッチパネル５ａの接触操作が終了したか否かを判定する（ステップＳ３７）。
ここで、ユーザによるタッチパネル５ａの接触操作が終了していないと判定されると（ステップＳ３７；ＮＯ）、第２切替制御部２０６ｃは、処理をステップＳ３６に戻し、表示パネル４ａに表示されているフレーム画像を一時停止させた状態を維持する。
【００６７】
ステップＳ３７にて、ユーザによるタッチパネル５ａの接触操作が終了したと判定されると（ステップＳ３７；ＹＥＳ）、第２切替制御部２０６ｃは、処理をステップＳ３４に移行し、複数のフレーム画像の切替え速度を通常の切替え速度（例えば、１倍）に戻し、動画像を再生する（ステップＳ３４）。
その後、動作処理部２０６は、処理をステップＳ２２に戻す。
【００６８】
一方、ステップＳ３５にて、複数の領域がユーザによって同時に接触操作されていないと判定されると（ステップＳ３５；ＮＯ）、第２切替制御部２０６ｃは、複数の領域が接触操作された順序（例えば、第１領域Ａ１が先）を特定し、特定された順序に応じた切替え方向（例えば、順方向）に所定の切替え速度（例えば、１／２倍速）で複数のフレーム画像を切替える切替え表示（例えば、１／２倍速順方向再生）によって動画像を再生させる（ステップＳ３８）。
【００６９】
その後、動作処理部２０６は、ユーザによるタッチパネル５ａの接触操作が終了したか否かを判定する（ステップＳ３９）。
ここで、ユーザによるタッチパネル５ａの接触操作が終了していないと判定されると（ステップＳ３９；ＮＯ）、第２切替制御部２０６ｃは、処理をステップＳ３８に戻し、複数の領域が接触操作された順序に応じた切替え方向に所定の切替え速度で複数のフレーム画像を切替える切替え表示の制御を継続して行う。
【００７０】
ステップＳ３９にて、ユーザによるタッチパネル５ａの接触操作が終了したと判定されると（ステップＳ３９；ＹＥＳ）、第２切替制御部２０６ｃは、処理をステップＳ３４に移行し、複数のフレーム画像の切替え速度を通常の切替え速度（例えば、１倍）に戻し、動画像を再生する（ステップＳ３４）。
その後、動作処理部２０６は、処理をステップＳ２２に戻す。
【００７１】
以上のように、実施形態２の表示装置２００によれば、上記実施形態１と同様に、ユーザによる同時又は連続する一連の接触操作にて行われる接触操作の数や領域の組み合わせに対応させて、選択可能なフレーム画像の切替え表示の種類を増加させることができ、搭載可能なタッチパネル５ａの大きさが制限されている状況でも、ユーザが所望の切替え表示を選択する際の操作性の低下を抑制することができる。特に、タッチパネル５ａに対するユーザによる一連の接触操作にて、例えば、タッチパネル５ａに対して所定時間内に複数の接触操作が連続して行われるなど、複数の接触操作が時間差をつけて行われた場合に、当該複数の接触操作が行われた複数の領域の接触操作の順序に基づいて、切替え表示を制御するので、タッチパネル５ａに対するユーザによる一連の接触操作にて行われる複数の接触操作の順序を変更するだけで、切替え方向や切替え速度を変更したり、フレーム画像を表示させたまま一時停止したり、所定の画像へ切替えたりすることができ、ユーザが所望の切替え表示の選択をより容易な操作で実現することができる。
【００７２】
なお、本発明は、上記実施形態１、２に限定されることなく、本発明の趣旨を逸脱しない範囲において、種々の改良並びに設計の変更を行っても良い。
以下に、変形例１の表示装置３００について図９を参照して説明する。
なお、以下に説明する以外の点は、上記実施形態１、２の表示装置１００、２００と略同様の構成及び機能をなし、その具体的な説明は省略する。
【００７３】
＜変形例１＞
図９は、変形例１の表示装置３００による案内表示の一例を模式的に示す図である。
変形例１の表示装置３００は、フレーム画像の切替え方法を表示パネル４ａに案内表示する（図９参照）。
【００７４】
すなわち、第１切替制御部６ｃ（或いは、第２切替制御部２０６ｃ）は、接触数検出部６ａにより検出された接触操作の数が一の場合に、表示パネル４ａに表示されているフレーム画像を他のフレーム画像に切り替える切替え表示におけるフレーム画像の切替え方法を表示パネル４ａに案内表示させる。
具体的には、第１切替制御部６ｃは、例えば、ユーザによりタッチパネル５ａの何れか一の位置に対して一の接触操作が行われると、タッチパネル５ａを区分する複数の領域と対応付けられている切替え方向や切替え速度等を表す案内表示Ｇをフレーム画像に重畳させて表示パネル４ａに表示させる。また、第１切替制御部６ｃは、例えば、ユーザによるタッチパネル５ａの接触操作が継続している期間、案内表示Ｇをフレーム画像に重畳させて表示パネル４ａに表示させる。
このとき、ユーザによってタッチパネル５ａが一瞬だけ接触操作されるような誤操作等を防止するため、第１切替制御部６ｃは、例えば、ユーザによるタッチパネル５ａに対する一の接触操作が継続している時間を計測し、計測された時間が所定時間（例えば、200ms）以上の長さとなった場合に、案内表示Ｇを表示パネル４ａに表示させるようにしても良い。
【００７５】
したがって、変形例１の表示装置３００によれば、タッチパネル５ａに対するユーザによる一連の接触操作にて行われる接触操作の数が一の場合に、切替え表示におけるフレーム画像の切替え方法を表示パネル４ａに案内表示させるので、ユーザが表示パネル４ａに表示された案内表示Ｇを利用してタッチパネル５ａの各種の接触操作を行うことができ、ユーザが所望の切替え表示を選択する際の操作性を向上させることができる。
【００７６】
なお、第１切替制御部６ｃは、ユーザによりタッチパネル５ａが接触操作された領域に応じて、案内表示Ｇの内容や切替え表示の制御内容を変更しても良い。例えば、切替え表示の制御内容として、タッチパネル５ａの第１領域Ａ１には、「２倍速順方向再生」等の順方向の切替え表示が対応付けられ、第２領域Ａ２には、「２倍速逆方向再生」等の逆方向の切替え表示が対応付けられている状態とする。この状態で、ユーザによって「早送り」に係る案内表示Ｇに対応するタッチパネル５ａの第１領域Ａ１が接触操作された場合に、第１切替制御部６ｃは、表示パネル４ａの第２領域Ａ２に対応する領域に、「早戻し」に係る案内表示Ｇに換えて「一時停止」に係る案内表示（図示略）を表示させるとともに、第２領域Ａ２に対応する切替え表示の制御内容を表示パネル４ａに表示されているフレーム画像を表示させたままの「一時停止」とする。
【００７７】
また、表示パネル４ａに表示されているフレーム画像を他のフレーム画像に切替える切替え表示の制御を、タッチパネル５ａを区分する複数の領域の中で、タッチパネル５ａに対するユーザによる一連の接触操作にて接触された接触位置の各々が含まれる複数の領域に基づいて行うようにしても良い。
すなわち、上記実施形態１の第１接触領域検出部６ｂ（或いは、実施形態２の第２接触領域検出部２０６ｂ）は、検出手段として、タッチパネル５ａを区分する複数の領域の中で、タッチパネル５ａに対する同時又は連続するユーザによる一連の接触操作にて接触された接触位置の各々が含まれる複数の領域を検出する。そして、上記実施形態１の第１切替制御部６ｃ（或いは、実施形態２の第２切替制御部２０６ｃ）は、制御手段として、検出された複数の領域に基づいて、切替え表示を制御する。
このような構成としても、ユーザによる同時又は連続する一連の接触操作にて行われる複数の領域の組み合わせに対応させて、選択可能なフレーム画像の切替え表示の種類を増加させることができ、搭載可能なタッチパネル５ａの大きさが制限されている状況でも、ユーザが所望の切替え表示を選択する際の操作性の低下を抑制することができる。
【００７８】
上記の構成では、タッチパネル５ａに対するユーザによる一連の接触操作にてタッチパネル５ａの複数の領域が接触操作された場合は、検出された複数の領域の組み合わせに応じて、表示パネル４ａに表示されているフレーム画像を表示させたまま一時停止や所定の画像への切替え等を行うようにしても良い。
また、ユーザによりタッチパネル５ａの複数の領域が接触操作され、表示パネル４ａに表示されているフレーム画像を表示させたまま一時停止させた状態で、タッチパネル５ａの複数の領域に含まれる複数の接触位置のうちの何れかの接触位置における接触状態を維持したまま、他の接触位置における接触状態を一旦解除してから接触状態に戻す接触操作に基づいて、一又は複数の画像送りの何れかにより所定の画像への切替えを行うようにしても良い。
また、上記のタッチパネル５ａに対するユーザによる一連の接触操作は、タッチパネル５ａに対して同時に複数の接触位置に接触されている状態が確保できれば、各接触位置への接触操作が時間差をつけて行われる接触操作であっても良い。
また、タッチパネル５ａに対するユーザによる一連の接触操作にて、例えば、タッチパネル５ａに対して所定時間内に複数の接触操作が連続して行われるなど、複数の接触操作が時間差をつけて行われた場合に、当該複数の接触操作が行われた複数の領域の接触操作の順序に基づいて、切替え表示を制御するようにしても良い。
【００７９】
なお、上記実施形態１、２にあっては、表示対象を動画像として説明したが、一例であってこれに限られるものではなく、例えば、複数の静止画像であっても良い。この場合、画像の切替え方向は、静止画像の読み出し順序（例えば、ファイル名順、記憶順）に対応する。
また、ユーザによる一連の接触操作にて行われるタッチパネル５ａに対する複数の接触操作は、例えば、ピンチ操作であっても良く、この場合には、ピンチ操作の位置や間隔等に応じて、フレーム画像の切替え速度を調整したり、フレーム画像を表示させたまま一時停止や所定の画像への切替え等を行うようにしたりしても良い。
【００８０】
さらに、表示装置１００、２００の構成は、上記実施形態１、２に例示したものは一例であり、これに限られるものではない。
【００８１】
加えて、上記実施形態１、２にあっては、数検出手段、領域検出手段、制御手段としての機能を、中央制御部１の制御下にて、接触数検出部６ａ、第１接触領域検出部６ｂ（第２接触領域検出部２０６ｂ）、第１切替制御部６ｃ（第２切替制御部２０６ｃ）が駆動することにより実現される構成としたが、これに限られるものではなく、中央制御部１のＣＰＵによって所定のプログラム等が実行されることにより実現される構成としても良い。
すなわち、プログラムメモリ（図示略）に、数検出処理ルーチン、領域検出処理ルーチン、制御処理ルーチンを含むプログラムを記録しておく。そして、数検出処理ルーチンにより中央制御部１のＣＰＵに、タッチパネル５ａに対するユーザによる同時又は連続する一連の接触操作にて行われる接触操作の数を検出する機能を実現させるようにしても良い。また、領域検出処理ルーチンにより中央制御部１のＣＰＵに、タッチパネル５ａを区分する複数の領域の中で、ユーザによる同時又は連続する一連の接触操作にて接触された接触位置が含まれる領域を検出する機能を実現させるようにしても良い。また、制御処理ルーチンにより中央制御部１のＣＰＵに、検出された接触操作の数と、検出された領域とに基づいて、切替え表示を制御する機能を実現させるようにしても良い。
【００８２】
同様に、プログラムメモリに、領域検出処理ルーチン、制御処理ルーチンを含むプログラムを記録しておく。そして、領域検出処理ルーチンにより中央制御部１のＣＰＵに、タッチパネル５ａを区分する複数の領域の中で、タッチパネル５ａに対するユーザによる同時又は連続する一連の接触操作にて接触された接触位置の各々が含まれる複数の領域を検出する機能を実現させるようにしても良い。また、制御処理ルーチンにより中央制御部１のＣＰＵに、検出された複数の領域に基づいて、切替え表示を制御する機能を実現させるようにしても良い。
【００８３】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００８４】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
タッチパネルに対するユーザによる接触操作に基づいて、表示手段に表示されている画像を他の画像に切替える切替え表示を行う表示装置であって、
前記タッチパネルに対するユーザによる同時又は連続する一連の接触操作にて行われる接触操作の数を検出する数検出手段と、
前記タッチパネルを区分する複数の領域の中で、前記ユーザによる同時又は連続する一連の接触操作にて接触された接触位置が含まれる領域を検出する領域検出手段と、
前記数検出手段により検出された接触操作の数と、前記領域検出手段により検出された領域とに基づいて、前記切替え表示を制御する制御手段と、
を備えることを特徴とする表示装置。
＜請求項２＞
前記タッチパネルを区分する複数の領域毎に、前記切替え表示における互いに異なる切替え方向が対応付けられており、
前記制御手段は、前記領域検出手段により一の領域が検出された場合は、前記数検出手段により検出される接触操作の数に応じて、前記一の領域に対応付けられている切替え方向に画像を切替える際の切替え速度を調整する制御を行うことを特徴とする請求項１に記載の表示装置。
＜請求項３＞
前記制御手段は、前記領域検出手段により複数の領域が検出された場合は、画像の切替え速度の調整以外の制御内容で前記切替え表示を制御することを特徴とする請求項１又は２に記載の表示装置。
＜請求項４＞
前記画像の切替え速度の調整以外の制御内容は、前記表示手段に表示されている画像を表示させたまま一時停止及び所定の画像への切替えのうち、少なくとも一方を含むことを特徴とする請求項３に記載の表示装置。
＜請求項５＞
前記制御手段は、前記画像の切替え速度の調整以外の制御内容が前記一時停止である場合に、前記領域検出手段により検出された複数の領域に含まれる複数の接触位置のうちの何れかの接触位置における接触状態を維持したままで、他の接触位置における接触状態を一旦解除してから接触状態に戻す接触操作に基づいて、一又は複数の画像送りの何れかにより前記所定の画像への切替えを行うことを特徴とする請求項４に記載の表示装置。
＜請求項６＞
前記領域検出手段は、前記タッチパネルに対するユーザによる一連の接触操作にて時間差をつけて複数の接触操作が行われた場合に、当該複数の接触操作が行われた複数の領域の接触操作の順序を更に検出し、
前記制御手段は、前記領域検出手段により検出された複数の領域の接触操作の順序に基づいて、前記切替え表示を制御することを特徴とする請求項３〜５の何れか一項に記載の表示装置。
＜請求項７＞
前記タッチパネルに対するユーザによる一連の接触操作は、前記タッチパネルに対して所定時間内に連続して行われる複数の接触操作を含み、
前記領域検出手段は、前記ユーザにより前記タッチパネルに対して所定時間内に連続して複数の接触操作が行われた場合に、当該複数の接触操作が行われた複数の領域の接触操作の順序を更に検出することを特徴とする請求項３〜５の何れか一項に記載の表示装置。
＜請求項８＞
前記タッチパネルに対するユーザによる一連の接触操作は、前記タッチパネルに対して同時に複数の接触位置に接触されている状態が確保できれば、各接触位置への接触操作が時間差をつけて行われる接触操作を含むことを特徴とする請求項３〜５の何れか一項に記載の表示装置。
＜請求項９＞
前記制御手段は、前記数検出手段により検出された接触操作の数が一の場合に、前記切替え表示における画像の切替え方法を前記表示手段に案内表示させることを特徴とする請求項１〜８の何れか一項に記載の表示装置。
＜請求項１０＞
タッチパネルに対するユーザによる接触操作に基づいて、表示手段に表示されている画像を他の画像に切替える切替え表示を行う表示装置であって、
前記タッチパネルを区分する複数の領域の中で、前記タッチパネルに対するユーザによる同時又は連続する一連の接触操作にて接触された接触位置の各々が含まれる複数の領域を検出する検出手段と、
前記検出手段により検出された複数の領域に基づいて、前記切替え表示を制御する制御手段と、
を備えることを特徴とする表示装置。
＜請求項１１＞
前記制御手段は、前記検出手段により検出された複数の領域の組み合わせに応じて、前記表示手段に表示されている画像を表示させたまま一時停止させるか、或いは所定の画像へ切替えるかの何れかを行うことを特徴とする請求項１０に記載の表示装置。
＜請求項１２＞
前記制御手段は、前記表示手段に表示されている画像を表示させたまま一時停止させた状態で、前記検出手段により検出された複数の領域に含まれる複数の接触位置のうちの何れかの接触位置における接触状態を維持したままで、他の接触位置における接触状態を一旦解除してから接触状態に戻す接触操作に基づいて、一又は複数の画像送りの何れかにより前記所定の画像への切替えを行うことを特徴とする請求項１１に記載の表示装置。
＜請求項１３＞
前記タッチパネルに対するユーザによる一連の接触操作は、前記タッチパネルに対して同時に複数の接触位置に接触されている状態が確保できれば、各接触位置への接触操作が時間差をつけて行われる接触操作を含むことを特徴とする請求項１０〜１２の何れか一項に記載の表示装置。
＜請求項１４＞
前記検出手段は、前記タッチパネルに対するユーザによる一連の接触操作にて時間差をつけて複数の接触操作が行われた場合に、当該複数の接触操作が行われた複数の領域の接触操作の順序を更に検出し、
前記制御手段は、前記検出手段により検出された複数の領域の接触操作の順序に基づいて、前記切替え表示を制御することを特徴とする請求項１３に記載の表示装置。
＜請求項１５＞
前記タッチパネルに対するユーザによる一連の接触操作は、前記タッチパネルに対して所定時間内に連続して行われる複数の接触操作を含み、
前記検出手段は、前記ユーザにより前記タッチパネルに対して所定時間内に連続して複数の接触操作が行われた場合に、当該複数の接触操作が行われた複数の領域の接触操作の順序を更に検出し、
前記制御手段は、前記検出手段により検出された複数の領域の接触操作の順序に基づいて、前記切替え表示を制御することを特徴とする請求項１０〜１２の何れか一項に記載の表示装置。
＜請求項１６＞
タッチパネルに対するユーザによる接触操作に基づいて、表示手段に表示されている画像を他の画像に切替える切替え表示を行う表示装置を用いた表示方法であって、
前記タッチパネルに対するユーザによる同時又は連続する一連の接触操作にて行われる接触操作の数を検出する処理と、
前記タッチパネルを区分する複数の領域の中で、前記ユーザによる同時又は連続する一連の接触操作にて接触された接触位置が含まれる領域を検出する処理と、
検出された接触操作の数と、検出された領域とに基づいて、前記切替え表示を制御する処理と、
を含むことを特徴とする表示方法。
＜請求項１７＞
タッチパネルに対するユーザによる接触操作に基づいて、表示手段に表示されている画像を他の画像に切替える切替え表示を行う表示装置を用いた表示方法であって、
前記タッチパネルを区分する複数の領域の中で、前記タッチパネルに対するユーザによる同時又は連続する一連の接触操作にて接触された接触位置の各々が含まれる複数の領域を検出する処理と、
検出された複数の領域に基づいて、前記切替え表示を制御する処理と、
を含むことを特徴とする表示方法。
＜請求項１８＞
タッチパネルに対するユーザによる接触操作に基づいて、表示手段に表示されている画像を他の画像に切替える切替え表示を行う表示装置のコンピュータに、
前記タッチパネルに対するユーザによる同時又は連続する一連の接触操作にて行われる接触操作の数を検出する機能と、
前記タッチパネルを区分する複数の領域の中で、前記ユーザによる同時又は連続する一連の接触操作にて接触された接触位置が含まれる領域を検出する機能と、
検出された接触操作の数と、検出された領域とに基づいて、前記切替え表示を制御する機能と、
を実現させることを特徴とするプログラム。
＜請求項１９＞
タッチパネルに対するユーザによる接触操作に基づいて、表示手段に表示されている画像を他の画像に切替える切替え表示を行う表示装置のコンピュータに、
前記タッチパネルを区分する複数の領域の中で、前記タッチパネルに対するユーザによる同時又は連続する一連の接触操作にて接触された接触位置の各々が含まれる複数の領域を検出する機能と、
検出された複数の領域に基づいて、前記切替え表示を制御する機能と、
を実現させることを特徴とするプログラム。
【符号の説明】
【００８５】
１００、２００、３００  表示装置
１          中央制御部
４          表示部
４ａ        表示パネル
５          操作入力部
５ａ        タッチパネル
６、２０６  動作処理部
６ａ        接触数検出部
６ｂ        第１接触領域検出部
２０６ｂ    第２接触領域検出部
６ｃ        第１切替制御部
２０６ｃ    第２切替制御部
【図１】
2020017321.tif 000003
【図２】
2020017321.tif 000004
【図３】
2020017321.tif 000005
【図４】
2020017321.tif 000006
【図５】
2020017321.tif 000007
【図６】
2020017321.tif 000008
【図７】
2020017321.tif 000009
【図８】
2020017321.tif 000010
【図９】
2020017321.tif 000011
【手続補正書】
【提出日】令和1年11月27日(2019.11.27)
【手続補正２】
【補正対象書類名】明細書
【補正対象項目名】０００１
【補正方法】変更
【補正の内容】
【０００１】
本発明は、表示装置、表示方法、及び、プログラムに関する。
【手続補正３】
【補正対象書類名】明細書
【補正対象項目名】０００５
【補正方法】変更
【補正の内容】
【０００５】
本発明は、このような問題に鑑みてなされたものであり、本発明の課題は、選択可能な画像の切替え表示の種類を増加させることができるとともに、ユーザが所望の切替え表示を選択する際の操作性の低下を抑制することができる表示装置、表示方法、及び、プログラムを提供することである。
【手続補正４】
【補正対象書類名】明細書
【補正対象項目名】０００６
【補正方法】変更
【補正の内容】
【０００６】
上記課題を解決するための本発明の一態様は、
タッチパネルに対するユーザによる接触操作に基づいて、表示手段に表示されている画像を他の画像に切替える切替え表示を行う表示装置であって、
前記タッチパネルに対するユーザの接触操作による接触位置の数が複数であるか否かを判別する判別手段と、
前記判別手段により接触位置の数が複数であると判別された場合に、当該複数の接触位置の位置関係に基づいて、前記切替え表示を制御する制御手段と、
を備えることを特徴としている。
また、上記課題を解決するための本発明の一態様は、
タッチパネルに対するユーザによる接触操作に基づいて、表示手段に表示されている画像を他の画像に切替える切替え表示を行う表示装置であって、
前記タッチパネルに対するユーザの接触操作が、接触後、接触状態を一旦解除してから接触状態に戻す接触操作であるか否かを判別する判別手段と、
前記判別手段により、ユーザの接触操作が、接触後、接触状態を一旦解除してから接触状態に戻す接触操作であると判別された場合に、当該接触状態に戻す接触操作と、同時に行われるユーザによる他の接触操作と、に基づいて、前記切替え表示を制御する制御手段と、
を備えることを特徴としている。
【手続補正５】
【補正対象書類名】明細書
【補正対象項目名】００２５
【補正方法】変更
【補正の内容】
【００２５】
例えば、図３（ａ）に示すように、タッチパネル５ａが第１領域Ａ１と第２領域Ａ２の二つの領域に区分されている場合、ユーザの接触領域が「第１領域Ａ１」で、接触数が「１」では１倍速で順方向にフレーム画像を切替える「１倍速順方向再生」となり、接触数が「２」では２倍速で順方向にフレーム画像を切替える「２倍速順方向再生」となり、接触数が「３」では３倍速で順方向にフレーム画像を切替える「３倍速順方向再生」となる。また、ユーザの接触領域が「第１領域Ａ２」で、接触数が「１」では１倍速で逆方向にフレーム画像を切替える「１倍速逆方向再生」となり、接触数が「２」では２倍速で逆方向にフレーム画像を切替える「２倍速逆方向再生」となり、接触数が「３」では３倍速で逆方向にフレーム画像を切替える「３倍速逆方向再生」となる。
また、例えば、図３（ｂ）に示すように、タッチパネル５ａが第１〜第４領域Ａ１〜Ａ４の四つの領域に区分されている場合、ユーザの接触領域が「第１領域Ａ１」及び「第２領域Ａ２」では、上記した図３（ａ）と同様の処理となる。また、ユーザの接触領域が「第３領域Ａ３」で、接触数が「１」では１倍速で順方向にフレーム画像を切替える「１倍速順方向再生」となり、接触数が「２」では１／２倍速で順方向にフレーム画像を切替える「１／２倍速順方向再生」となり、接触数が「３」では１／３倍速で順方向にフレーム画像を切替える「１／３倍速順方向再生」となる。また、ユーザの接触領域が「第４領域Ａ４」で、接触数が「１」では１倍速で逆方向にフレーム画像を切替える「１倍速逆方向再生」となり、接触数が「２」では１／２倍速で逆方向にフレーム画像を切替える「１／２倍速逆方向再生」となり、接触数が「３」では１／３倍速で逆方向にフレーム画像を切替える「１／３倍速逆方向再生」となる。
【手続補正６】
【補正対象書類名】特許請求の範囲
【補正対象項目名】全文
【補正方法】変更
【補正の内容】
【特許請求の範囲】
【請求項１】
タッチパネルに対するユーザによる接触操作に基づいて、表示手段に表示されている画像を他の画像に切替える切替え表示を行う表示装置であって、
前記タッチパネルに対するユーザの接触操作による接触位置の数が複数であるか否かを判別する判別手段と、
前記判別手段により接触位置の数が複数であると判別された場合に、当該複数の接触位置の位置関係に基づいて、前記切替え表示を制御する制御手段と、
を備えることを特徴とする表示装置。
【請求項２】
当該表示装置は、前記表示手段に表示されている画像を自動で他の画像に切替える自動切替え表示を行い、
前記制御手段は、前記判別手段により接触位置の数が複数であると判別された時点で、前記自動切替え表示を一時停止した後、当該複数の接触位置の位置関係に基づいて、前記切替え表示を制御することを特徴とする請求項１に記載の表示装置。
【請求項３】
前記制御手段は、前記複数の接触位置のうちの何れかの接触位置における接触状態を維持したままの接触位置と、他の接触位置における接触状態を一旦解除してから接触状態に戻す接触操作の接触位置と、の異なる位置関係に基づいて、異なるように前記切替え表示を制御することを特徴とする請求項１又は２に記載の表示装置。
【請求項４】
タッチパネルに対するユーザによる接触操作に基づいて、表示手段に表示されている画像を他の画像に切替える切替え表示を行う表示装置であって、
前記タッチパネルに対するユーザの接触操作が、接触後、接触状態を一旦解除してから接触状態に戻す接触操作であるか否かを判別する判別手段と、
前記判別手段により、ユーザの接触操作が、接触後、接触状態を一旦解除してから接触状態に戻す接触操作であると判別された場合に、当該接触状態に戻す接触操作と、同時に行われるユーザによる他の接触操作と、に基づいて、前記切替え表示を制御する制御手段と、
を備えることを特徴とする表示装置。
【請求項５】
当該表示装置は、前記表示手段に表示されている画像を自動で他の画像に切替える自動切替え表示を行い、
前記判別手段は、前記タッチパネルに対するユーザの接触操作による接触位置の数が複数であるか否かを、更に判別し、
前記制御手段は、前記判別手段により接触位置の数が複数であると判別された時点で、前記表示手段で行われている自動切替え表示を一時停止した後、前記接触状態に戻す接触操作と、同時に行われるユーザによる他の接触操作と、に基づいて、前記切替え表示を制御することを特徴とする請求項４に記載の表示装置。
【請求項６】
前記他の接触操作は、接触後、接触位置における接触状態を維持したままの接触操作であって、
前記制御手段は、前記接触状態に戻す接触操作による接触位置と、前記接触状態を維持したままの接触位置と、の異なる位置関係に基づいて、異なるように前記切替え表示を制御することを特徴とする請求項４又は５に記載の表示装置。
【請求項７】
当該表示装置が表示対象とする画像は所定の基準で配列された静止画像、或いは動画像であって、
前記制御手段は、前記接触状態を維持したままの接触位置と、前記接触状態を戻す接触操作による接触位置と、の位置関係、及び前記切替え表示の切替え方向が、前記所定の基準における方向或いは動画像の再生方向と一致するように、前記切替え表示を制御することを特徴とする請求項３又は６に記載の表示装置。
【請求項８】
タッチパネルに対するユーザによる接触操作に基づいて、表示手段に表示されている画像を他の画像に切替える切替え表示を行う表示装置を用いた表示方法であって、
前記タッチパネルに対するユーザの接触操作による接触位置の数が複数であるか否かを判別する処理と、
接触位置の数が複数であると判別された場合に、当該複数の接触位置の位置関係に基づいて、前記切替え表示を制御する処理と、
を含むことを特徴とする表示方法。
【請求項９】
タッチパネルに対するユーザによる接触操作に基づいて、表示手段に表示されている画像を他の画像に切替える切替え表示を行う表示装置を用いた表示方法であって、
前記タッチパネルに対するユーザの接触操作が、接触後、接触状態を一旦解除してから接触状態に戻す接触操作であるか否かを判別する処理と、
ユーザの接触操作が、接触後、接触状態を一旦解除してから接触状態に戻す接触操作であると判別された場合に、当該接触状態に戻す接触操作と、同時に行われるユーザによる他の接触操作と、に基づいて、前記切替え表示を制御する処理と、
を含むことを特徴とする表示方法。
【請求項１０】
タッチパネルを備えた表示装置が有するコンピュータを、
前記タッチパネルに対するユーザによる接触操作に基づいて、表示されている画像を他の画像に切替える切替え表示手段、
前記タッチパネルに対するユーザの接触操作による接触位置の数が複数であるか否かを判別する判別手段、
前記判別手段により接触位置の数が複数であると判別された場合に、当該複数の接触位置の位置関係に基づいて、前記切替え表示手段による切替え表示を制御する制御手段、
として機能させることを特徴とするプログラム。
【請求項１１】
タッチパネルを備えた表示装置が有するコンピュータを、
前記タッチパネルに対するユーザによる接触操作に基づいて、表示されている画像を他の画像に切替える切替え表示手段、
前記タッチパネルに対するユーザの接触操作が、接触後、接触状態を一旦解除してから接触状態に戻す接触操作であるか否かを判別する判別手段、
前記判別手段により、ユーザの接触操作が、接触後、接触状態を一旦解除してから接触状態に戻す接触操作であると判別された場合に、当該接触状態に戻す接触操作と、同時に行われるユーザによる他の接触操作と、に基づいて、前記切替え表示手段による切替え表示を制御する制御手段、
として機能させることを特徴とするプログラム。